(57)【要約】【課題】撥水コーティングが施されたレンズであっても確実に保持用治具を固定することができ、正確な形状にレンズを研削できる、レンズの加工方法及びレンズの加工に用いられる保持シートを提供する。【解決手段】このレンズの加工方法は、レンズ１２の表面より粘着剤に対する濡れ性が良好な表面を有し、かつ前記レンズ１２側に粘着剤層を形成した支持シート６２を備える保持シート６０を、前記レンズ１２の一方面に貼着する工程、前記レンズ１２に貼着される前記保持シート６０上にロックシート４２を貼着する工程を含み、前記レンズ１２に貼着される前記保持シート６０は、前記ロックシート４２より外の方に向けてのびる大きさを有し、レンズ１２に付された印点４０に対応する領域に、印点４０を確認するための間隙部６６ａ，６６ｂ，６６ｃが形成されたものである。【選択図】図１
2007136581.tif 000002
【特許請求の範囲】
【請求項１】
レンズの表面より粘着剤に対する濡れ性が良好な表面を有し、かつ前記レンズ側に粘着剤層を形成した支持シートを備える保持シートを、前記レンズの一方面に貼着する工程、
前記レンズに貼着される前記保持シート上にロックシートを貼着する工程、
前記レンズに付された印点に合わせて前記ロックシート上に保持用治具を貼着する工程、
前記レンズに取り付けた前記保持用治具をレンズ研削機の治具受けに取り付ける工程、
前記レンズを前記治具受けとレンズ押さえとで固定する工程、および
固定された前記レンズに砥石を当てて所定の形状に研削する工程を含み、
前記レンズに貼着される前記保持シートは、前記ロックシートより外の方に向けてのびる大きさを有し、レンズに付された印点に対応する領域に、印点を確認するための間隙部が形成されたものである、レンズの加工方法。
【請求項２】
さらに、前記レンズの他方面上に前記保持シートを貼着する工程と、前記レンズの他方面上に貼着される前記保持シート上に前記ロックシートを貼着する工程とを含み、前記レンズを固定する工程において前記レンズの他方面の前記ロックシート上に前記レンズ押さえが押し当てられるレンズの加工方法であって、
前記レンズの他方面に貼着される前記保持シートは、その上に貼着される前記ロックシートより大きい面積を有し、レンズに付された印点に対応する領域に、印点を確認するための間隙部が形成されたものである、請求項１に記載のレンズの加工方法。
【請求項３】
前記保持シートは、レンズに貼着される面とは反対側の面に、予めロックシートが貼着されている、請求項１又は２に記載のレンズの加工方法。
【請求項４】
前記保持シートは、支持シートにおけるレンズに貼着される面及び支持シートにおけるレンズに貼着される面とは反対側の面に粘着剤層を備えた両面粘着テープである、請求項１ないし３のいずれかに記載のレンズの加工方法。
【請求項５】
前記保持シートは、レンズに貼着される面に粘着剤層を備えたメッシュシートである、請求項１ないし３のいずれかに記載のレンズの加工方法。
【請求項６】
前記保持シートは、レンズの一方面に、印点を確認するための間隙部を形成することができるように複数並列して貼着された、請求項１ないし５のいずれかに記載のレンズの加工方法。
【請求項７】
レンズの表面より粘着剤に対する濡れ性が良好な表面を有し、かつ前記レンズ側に粘着剤層を形成した支持シートを備える保持シートを、前記レンズの一方面に貼着する工程、
前記レンズに貼着される前記保持シート上にロックシートを貼着する工程、
前記レンズに付された印点に合わせて前記ロックシート上に保持用治具を貼着する工程、
前記レンズに取り付けた前記保持用治具をレンズ研削機の治具受けに取り付ける工程、
前記レンズを前記治具受けとレンズ押さえとで固定する工程、および
固定された前記レンズに砥石を当てて所定の形状に研削する工程を含むレンズ加工に用いられるものであって、
前記レンズに貼着される前記保持シートは、前記ロックテープより外の方に向けてのびる大きさを有し、レンズに付された印点に対応する領域に、印点を確認するための間隙部が形成されたものである、レンズの加工に用いられる保持シート。
【請求項８】
前記保持シートは、レンズに貼着される面とは反対側の面に、予めロックシートが貼着されている、請求項７に記載のレンズの加工に用いられる保持シート。
【請求項９】
前記保持シートは、支持シートにおけるレンズに貼着される面及び支持シートにおけるレンズに貼着される面とは反対側の面に粘着剤層を備えた両面粘着テープである、請求項７又は８に記載のレンズの加工に用いられる保持シート。
【請求項１０】
前記保持シートは、レンズに貼着される面に粘着剤層を備えたメッシュシートである、請求項７ないし９のいずれかに記載のレンズの加工に用いられる保持シート。
【請求項１１】
前記保持シートは、レンズの一方面に、印点を確認するための間隙部を形成することができるように複数並列して貼着されるように形成された、請求項７ないし１０のいずれかに記載のレンズの加工に用いられる保持シート。
【発明の詳細な説明】
【技術分野】
【０００１】
この発明は、レンズの加工方法及びレンズの加工に用いられる保持シートに関し、特に、たとえば眼鏡のデザインに合わせてレンズの形状を整えるためのレンズの加工方法及びレンズの加工に用いられる保持シートに関する。
【背景技術】
【０００２】
図１１は、眼鏡の一例を示す斜視図である。眼鏡１０は、２つのレンズ１２を含む。２つのレンズ１２は、ブリッジ１４で連結される。ブリッジ１４で連結されたレンズ１２の両側には、耳にかけるためのテンプル１６が取り付けられる。
【０００３】
レンズ１２は、図１３（Ａ）（Ｂ）に示すように、平面形状が円形で、かつ各視力に対応した断面形状を有する形で、レンズメーカーから供給される。このレンズ１２の外周部が研削され、眼鏡１０のデザインに合わせた形状のレンズ１２が得られる。
【０００４】
レンズ１２を研削するために、図１２に示すようなレンズ研削機２０が用いられる。レンズ研削機２０は、研削室２２を含む。研削室２２内の両側には、駆動部２４ａ，２４ｂが設けられ、これらの駆動部２４ａ，２４ｂからクランプ軸２６ａ，２６ｂが延びるように形成される。そして、駆動部２４ａ，２４ｂによって、クランプ軸２６ａ，２６ｂの繰り出し量が制御される。また、駆動部２４ａ，２４ｂによって、クランプ軸２６ａ，２６ｂが回転させられ、その回転量も制御される。
【０００５】
一方のクランプ軸２６ａの先端部には、治具受け２８が形成される。治具受け２８は、後述のレンズを保持するための保持用治具を装着するためのものである。また、他方のクランプ軸２６ｂの先端部には、レンズ押さえ３０が形成される。レンズ押さえ３０は、治具受け２８によって保持されたレンズ１２の対向面側に押し当てられる。なお、レンズ押さえ３０の先端部には、ゴムなどの弾性体が設けられ、レンズ１２の表面に傷がつかないようになっている。
【０００６】
さらに、治具受け２８とレンズ押さえ３０の間に向かって水を供給するための２つの給水ノズル３２が形成される。また、２つの給水ノズル３２の中間部には、ウォータークリーンノズル３４が形成される。このウォータークリーンノズル３４は、ポリカーボネートレンズを研削するときに水を供給して、削粉を洗い流すために用いられる。
【０００７】
また、研削室２２内には、複数の円板状の砥石３６が設けられる。これらの砥石３６は、粒度の異なる砥粒を含み、研削するレンズ１２の種類や用途に対応して使い分けられる。つまり、ガラス製のレンズやプラスチック製のレンズなどのように、レンズの種類に応じて使い分けられたり、粗加工用や仕上げ加工用などのように、研削用途に応じて使い分けられる。
【０００８】
このレンズ研削機２０を用いてレンズ１２の研削を行うために、レンズ１２を治具受け２８に保持させるための治具が取り付けられる。そのために、図１３に示すように、レンズメータなどを用いて、レンズ１２に３つの印点４０、すなわち第１の印点４０ａ、第２の印点４０ｂ及び中央の印点４０ｃが押印される。印点４０は、眼鏡１０を使用するときに水平となる直線上に沿って、レンズ１２の凸面側に押印される。このとき、たとえば近視用の単焦点レンズなどの場合、中央の印点４０ｃは、レンズ１２の光学中心に押印される。また、乱視用レンズなどの場合、３つの印点４０が並ぶ直線と乱視軸とが、処方箋の軸角度となるように、３つの印点４０がレンズ１２に押印される。
【０００９】
さらに、図１４および図１５に示すように、レンズ１２の凸面側に、両面粘着テープからなるロックシート４２が貼着される。両面粘着テープからなるロックシート４２は、たとえば０．８ｍｍ程度のやや厚めの基材の両面に粘着剤層が形成されたものである。さらに、両面粘着テープからなるロックシート４２の中央部には、貫通孔４２ａが形成され、貫通孔４２ａを通して印点４０を確認することができるようになっている。この両面粘着テープからなるロックシート４２は、その長手方向が両端の第１の印点４０ａと第２の印点４０ｂとの内側に納まる大きさに形成される。
【００１０】
両面粘着テープからなるロックシート４２上には、軸出し機などを用いて、保持用治具４４が取り付けられる。保持用治具４４は、レンズ１２をレンズ研削機２０の治具受け２８に保持するために用いられる。保持用治具４４は、両面粘着テープからなるロックシート４２に貼着されるカップ状の貼着部４６を含む。この貼着部４６の凸面側には、レンズ研削機２０の治具受け２８に装着するための装着部４８が形成される。装着部４８は、貼着部４６から突き出すように形成される。装着部４８の中央部には、円形の凹部５０が形成され、その中央部に貫通孔５２が形成される。したがって、貫通孔５２は、装着部４８側から貼着部４６の中央部に向かって貫通する孔となっている。そして、貫通孔５２が形成されることにより、レンズ１２の中央の印点４０ｃに貫通孔５２を合わせて、正確な位置に保持用治具４４を取り付けることができる。
【００１１】
さらに、装着部４８の端部には、３つの溝５４ａ，５４ｂ，５４ｃが形成される。溝５４ａ，５４ｂ，５４ｃは、凹部５０側から外側に向かって放射状に形成される。そして、２つの溝５４ａ，５４ｂは直線状に配置され、別の溝５４ｃは溝５４ａ，５４ｂと直交する向きに形成される。ここで、２つの溝５４ａ，５４ｂは、他の溝５４ｃより広い幅となるように形成されている。そして、直線状に配置された２つの溝５４ａ，５４ｂが、３つの印点４０の並ぶ直線上に配置されるようにして、保持用治具４４がレンズ１２の凸面上に取り付けられる。また、保持用治具４４に形成された貫通孔５２は、レンズ１２の中央の印点４０ｃに対応した位置に配置される。したがって、保持用治具４４の溝５４ｃは、眼鏡１０の使用時に、レンズ１２の上方となる方向に配置される。
【００１２】
レンズ１２に取り付けられた保持用治具４４は、レンズ研削機２０の治具受け２８に装着される。このとき、保持用治具４４に溝５４ａ，５４ｂ，５４ｃが形成されているため、治具受け２８に溝５４ａ，５４ｂ，５４ｃに嵌合する凸部を形成しておくことにより、レンズ１２の向きを決定することができる。
【００１３】
保持用治具４４が治具受け２８に取り付けられた状態で、クランプ軸２６ｂが繰り出され、レンズ押さえ３０がレンズ１２の凹面側に押し当てられる。それにより、レンズ１２は、治具受け２８とレンズ押さえ３０とで挟まれて固定される。この状態で、砥石３６を回転させ、レンズ１２の端部に押し当てられることにより、レンズ１２は研削される。このとき、給水ノズル３２から水が供給され、研削によって発生する熱が冷却され、かつ削粉が洗い流される。
【００１４】
レンズ１２の研削は、予めレンズの形状を記憶させておくことにより行われる。レンズの形状を記憶させるには、たとえばフレームの形状をトレースしたり、レンズの型板の形状をトレースしたり、ダミーレンズの形状をトレースすることにより行うことができる。そして、保持用治具４４の溝５４ａ，５４ｂ，５４ｃによってレンズ１２の向きが決定されているため、眼鏡１０の使用時におけるレンズ１２の向きが正しく、かつ正確な形状にレンズ１２を研削することができる。このようにして研削されたレンズ１２に、ブリッジ１４やテンプル１６を取り付けることにより、眼鏡１０が完成する。
【００１５】
眼鏡のレンズには、たとえばレンズ表面に傷がつきにくくするための物質や、紫外線吸収物質などがコーティングされたものがある。また、レンズの表面に汚れが付着しにくい物質をコーティングしたものが開発され、防汚レンズとして用いられている。しかしながら、このような防汚レンズには、水や油などが付着しにくい撥水物質がコーティングされており、両面粘着テープの粘着剤に対しても濡れ性の低いものである。そのため、レンズの研削時に、レンズと保持用治具との間にずれが生じ、正確な形状にレンズを研削できない場合がある。
そこで、撥水コーティングが施されたレンズであっても、確実に保持用治具を固定することができ、正確な形状にレンズを研削することができるレンズロックシートが提案されている。
【００１６】
【特許文献１】特開２００４−１４８４４４号公報
【発明の開示】
【発明が解決しようとする課題】
【００１７】
この従来の発明においては、レンズロックシートでは保持力が不足する場合に、このレンズロックシートを大きくして、大きい保持力を得ることが考えられる。しかしながら、レンズロックシートを大きくすると、レンズの表面に押印した印点が隠れてしまい、正確な位置に保持用治具を取り付けられないという問題が生じる。また、レンズロックシートはある程度の厚みがあり、曲率の大きいレンズの場合、レンズロックシートを大きくすると屈曲しにくくなり、レンズ表面に貼着しにくい場合がある。そのため、レンズロックシートを大きくするのには限界があり、レンズロックシートによる保持力を大きくすることが困難である。
それゆえに、この発明の主たる目的は、撥水コーティングが施されたレンズであっても確実に保持用治具を固定することができ、正確な形状にレンズを研削できる、レンズの加工方法及びレンズの加工に用いられる保持シートを提供することである。
【課題を解決するための手段】
【００１８】
この発明の請求項１にかかるレンズの加工方法は、レンズの表面より粘着剤に対する濡れ性が良好な表面を有し、かつ前記レンズ側に粘着剤層を形成した支持シートを備える保持シートを、前記レンズの一方面に貼着する工程、前記レンズに貼着される前記保持シート上にロックシートを貼着する工程、前記レンズに付された印点に合わせて前記ロックシート上に保持用治具を貼着する工程、前記レンズに取り付けた前記保持用治具をレンズ研削機の治具受けに取り付ける工程、前記レンズを前記治具受けとレンズ押さえとで固定する工程、および固定された前記レンズに砥石を当てて所定の形状に研削する工程を含み、前記レンズに貼着される前記保持シートは、前記ロックシートより外の方に向けてのびる大きさを有し、レンズに付された印点に対応する領域に、印点を確認するための間隙部が形成されたものである、レンズの加工方法である。
この発明の請求項２にかかるレンズの加工方法は、さらに、前記レンズの他方面上に前記保持シートを貼着する工程と、前記レンズの他方面上に貼着される前記保持シート上に前記ロックシートを貼着する工程とを含み、前記レンズを固定する工程において前記レンズの他方面の前記ロックシート上に前記レンズ押さえが押し当てられるレンズの加工方法であって、前記レンズの他方面に貼着される前記保持シートは、その上に貼着される前記ロックシートより大きい面積を有し、レンズに付された印点に対応する領域に、印点を確認するための間隙部が形成されたものである、請求項１に記載のレンズの加工方法である。
この発明の請求項３にかかるレンズの加工方法は、前記保持シートは、レンズに貼着される面とは反対側の面に、予めロックシートが貼着されている、請求項１又は２に記載のレンズの加工方法である。
この発明の請求項４にかかるレンズの加工方法は、前記保持シートは、支持シートにおけるレンズに貼着される面及び支持シートにおけるレンズに貼着される面とは反対側の面に粘着剤層を備えた両面粘着テープである、請求項１ないし３のいずれかに記載のレンズの加工方法である。
この発明の請求項５にかかるレンズの加工方法は、前記保持シートは、レンズに貼着される面に粘着剤層を備えたメッシュシートである、請求項１ないし３のいずれかに記載のレンズの加工方法である。
この発明の請求項６にかかるレンズの加工方法は、前記保持シートは、レンズの一方面に、印点を確認するための間隙部を形成することができるように複数並列して貼着された、請求項１ないし５のいずれかに記載のレンズの加工方法である。
この発明の請求項７にかかるレンズの加工に用いられる保持シートは、レンズの表面より粘着剤に対する濡れ性が良好な表面を有し、かつ前記レンズ側に粘着剤層を形成した支持シートを備える保持シートを、前記レンズの一方面に貼着する工程、前記レンズに貼着される前記保持シート上にロックシートを貼着する工程、前記レンズに付された印点に合わせて前記ロックシート上に保持用治具を貼着する工程、前記レンズに取り付けた前記保持用治具をレンズ研削機の治具受けに取り付ける工程、前記レンズを前記治具受けとレンズ押さえとで固定する工程、および固定された前記レンズに砥石を当てて所定の形状に研削する工程を含むレンズ加工に用いられるものであって、前記レンズに貼着される前記保持シートは、前記ロックテープより外の方に向けてのびる大きさを有し、レンズに付された印点に対応する領域に、印点を確認するための間隙部が形成されたものである、レンズの加工に用いられる保持シートである。
この発明の請求項８にかかるレンズの加工に用いられる保持シートは、前記保持シートは、レンズに貼着される面とは反対側の面に、予めロックシートが貼着されている、請求項７に記載のレンズの加工に用いられる保持シートである。
この発明の請求項９にかかるレンズの加工に用いられる保持シートは、前記保持シートは、支持シートにおけるレンズに貼着される面及び支持シートにおけるレンズに貼着される面とは反対側の面に粘着剤層を備えた両面粘着テープである、請求項７又は８に記載のレンズの加工に用いられる保持シートである。
この発明の請求項１０にかかるレンズの加工に用いられる保持シートは、前記保持シートは、レンズに貼着される面に粘着剤層を備えたメッシュシートである、請求項７ないし９のいずれかに記載のレンズの加工に用いられる保持シートである。
この発明の請求項１１にかかるレンズの加工に用いられる保持シートは、前記保持シートは、レンズの一方面に、印点を確認するための間隙部を形成することができるように複数並列して貼着されるように形成された、請求項７ないし１０のいずれかに記載のレンズの加工に用いられる保持シートである。
【発明の効果】
【００１９】
ロックシートより外の方に向けてのびる大きさを有する保持シートをレンズ表面に貼着することにより、全体として大きい保持力を得ることができる。さらに、保持シートの材料として、レンズ表面より粘着剤に対する濡れ性が良好なものを使用することにより、保持シート上に貼着された小さいロックシートによっても大きい保持力を得ることができる。ここで、薄い材料で形成された保持シートを用いることにより屈曲しやすくなり、レンズの曲率が大きくても、大きい面積に保持シートを貼着することができ、大きい保持力を得ることができる。さらに、前記ロックシートより大きい面積を有し、レンズに付された印点に対応する領域に、印点を確認するための間隙部が形成された保持シートを用いることにより、大きい保持シートを用いても、レンズに押印された印点が見える状態で保持用治具を取り付けることができる。
また、レンズの両面に保持シートおよびロックシートを貼着することにより、保持用治具およびレンズ押さえの両方が、レンズの両面で固着され、大きい保持力を得ることができる。そのため、砥石によるレンズの研削時に、レンズのずれを防止することができる。
【００２０】
この発明によれば、ロックシートより外の方にのびる大きさを有する保持シートをレンズ表面に貼着し、さらにロックシートを用いて保持用治具を取り付けることにより、十分な保持力でレンズをレンズ研削機に固定することができる。そのため、撥水コーティングが施されたレンズのような滑らかな表面をもつレンズに砥石を当てて研削を行う場合においても、レンズがずれることを抑えることができる。したがって、正確な形状のレンズを得ることができる。
【００２１】
この発明の上述の目的，その他の目的，特徴および利点は、図面を参照して行う以下の発明の実施の形態の詳細な説明から一層明らかとなろう。
【発明を実施するための最良の形態】
【００２２】
図１１に示すような眼鏡１０を得るために、図１３に示すような平面円形状のレンズ１２が研削される。レンズ１２の研削を行うために、図１２に示すレンズ研削機２０が用いられる。このレンズ研削機２０にレンズ１２を取り付けるために、図１および図２に示すようにして、レンズ１２に保持用治具４４が取り付けられる。
【００２３】
レンズ１２の凸面側には、図１３に示すように、３つの印点４０、すなわち第１の印点４０ａ、第２の印点４０ｂ及び中央の印点４０ｃが押印される。このとき、レンズ１２が近視用の単焦点レンズである場合、中央の印点４０ｃは、たとえばレンズメータなどを用いて、レンズ１２の光学中心に押印される。そして、３つの印点４０、すなわち第１の印点４０ａ、第２の印点４０ｂ及び中央の印点４０ｃは、眼鏡１０の使用時に水平となる軸に沿って押印される。
【００２４】
印点４０が押印されたレンズ１２の両面には、保持シート６０が貼着される。
保持シート６０は、たとえば厚さ０．１ｍｍ程度の薄い樹脂フィルム、布又は紙からなる支持シート６２の一方面、すなわちレンズ１２に貼着される面に粘着剤層６４が形成され、且つ支持シート６２の他方面に粘着剤層６５が形成されたものである。
また、保持シート６０としては、粘着剤層６４とは反対側、すなわちレンズ１２に貼着されない側の支持シート６２の表面（及び粘着剤層６５の表面）が、レンズ１２の表面に比べて、粘着剤に対する濡れ性の高いものが用いられる。
【００２５】
保持シート６０は、レンズ１２より小さく且つ３つの印点４０、すなわち第１の印点４０ａ、第２の印点４０ｂ及び中央の印点４０ｃを避けて、上下に２条の第１保持シート６０ａと第２保持シート６０ｂ及び左右に２条の第３保持シート６０ｃと第４保持シート６０ｄが、各保持シート６０の間に印点４０が位置するように、粘着剤層６４の面によりレンズ１２に貼着される。
保持シート６０は、第１の印点４０ａ、第２の印点４０ｂ及び中央の印点４０ｃの領域を避けて貼着され、保持シート６０の間には第１の印点４０ａ、第２の印点４０ｂ及び中央の印点４０ｃを確認するための第１の間隙部６６ａ、第２の間隙部６６ｂ及び中央の間隙部６６ｃが形成されている。
すなわち、第１の印点４０ａと対応する第１の間隙部６６ａ、第２の印点４０ｂと対応する第２の間隙部６６ｂ及び中央の印点４０ｃに対応する中央の間隙部６６ｃが形成されるように、十字状に第１保持シート６０ａ及び第２保持シート６０ｂと第３保持シート６０ｃ及び第４保持シート６０ｄとを交差させて、各保持シート６０が間隔をあけて貼着されている。
このとき、保持シート６０は、第１の間隙部６６ａ、第２の間隙部６６ｂ及び中央の間隙部６６ｃが形成されているため、第１の間隙部６６ａ、第２の間隙部６６ｂ及び中央の間隙部６６ｃを通して、第１の印点４０ａ、第２の印点４０ｂ及び中央の印点４０ｃを確認することができる。
【００２６】
この保持シート６０上に、ロックシート４２の粘着剤層４２ｂが形成されていない面４２ｃが貼着され、ロックシート４２よりも大きい保持シート６０がロックシート４２の外周縁より外方に延びている。このとき、中央の印点４０ｃが、ロックシート４２の中央の間隙部４２ａ部分に配置されるようにして、ロックシート４２が保持シート６０上に貼着される。
【００２７】
なお、ロックシート４２は、片面にのみ粘着剤層４２ｂが形成されたものでもよいが、図５及び図６において示すように、支持体４２Ｘの一面に粘着剤層４２ｂ及び他面に粘着剤層４２ｄが形成された両面粘着テープでもよく、レンズ１２側の粘着剤層４２ｄにて、保持シート６０及びレンズ１２の表面に貼着するとともにレンズ１２とは反対側の粘着剤層４２ｂにて保持用治具４４と貼着してもよい。このように、支持体４２Ｘの両面に粘着剤層が形成されたものの方が、保持シート６０とロックシート４２との接着力を増すことができる。
【００２８】
さらに、レンズ１２の凸面側には、ロックシート４２上に、保持用治具４４の貼着部４６が貼着される。このとき、保持用治具４４の貫通孔５２が、中央の印点４０ｃに合わせられる。さらに、直線状に配置された２つの溝５４ａ，５４ｂが、３つの印点、すなわち第１の印点４０ａ、第２の印点４０ｂ及び中央の印点４０ｃが結ぶ直線に対応するように配置される。したがって、他の溝５４ｃは、３つの印点、すなわち第１の印点４０ａ、第２の印点４０ｂ及び中央の印点４０ｃが結ぶ直線に対して直交する向きに配置される。
つまり、溝５４ｃは、眼鏡１０の使用時において、上方となる向きに配置される。
【００２９】
レンズ１２に取り付けられた保持用治具４４は、レンズ研削機２０の治具受け２８に取り付けられる。このとき、保持用治具４４には、３つの溝５４ａ，５４ｂ，５４ｃが形成されているため、治具受け２８に溝５４ａ，５４ｂ，５４ｃに対応する凸部を形成しておくことにより、レンズ１２の向きを正確に決定することができる。この状態で、クランプ軸２６ｂを押し出すことにより、レンズ押さえ３０でレンズ１２の凹面側が押えられる。レンズ１２の凹面側にも、保持シート６０およびロックシート４２が貼着されているため、レンズ押さえ３０はロックシート４２に貼着される。したがって、レンズ１２は、その両面において、保持シート６０およびロックシート４２の貼着力により、治具受け２８およびレンズ押さえ３０で固定される。なお、レンズ押さえ３０でレンズ１２の凹面側が支持できるのであれば、レンズ１２の凹面側においては、保持シート６０のみを貼着し、ロックシート４２は貼着されなくてもよい。
【００３０】
固定されたレンズ１２に、給水ノズル３２から水が供給され、回転する砥石３６が当接されて、レンズ１２が研削される。このとき、クランプ軸２６ａ，２６ｂの繰り出し量や回転量が調整され、さらに砥石３６の繰り出し量が調整されることにより、所定の形状のレンズ１２となるように研削される。
【００３１】
このように、保持シート６０を用いることにより、ロックシート４２より大きい面積でレンズ１２を保持することができる。しかも、保持シート６０は、第１の間隙部６６ａ、第２の間隙部６６ｂ及び中央の間隙部６６ｃが形成されるような形状であり、レンズ１２の表面に間隔をあけて貼着されているため、レンズ１２に押印された第１の印点４０ａ、第２の印点４０ｂ及び中央の印点４０ｃの確認が容易である。さらに、薄い支持シート６２を用いることにより、レンズ１２の曲率が大きくても、それに対応して支持シート６２が屈曲し、大きい面積で保持シート６０をレンズ１２に貼着することができる。また、大きい保持シート６０が貼着されることにより、レンズ１２の表面に傷がつくことを防ぐことができる。
【００３２】
また、保持シート６０のレンズ１２に貼着される面とは反対側の表面は、レンズ１２の表面に比べて粘着剤に対する濡れ性が高いため、小さいロックシート４２によって保持用治具４４が取付けられても、十分大きい保持力を得ることができ、レンズ１２の研削中にレンズ１２がずれたりすることを抑えることができる。したがって、表面が滑らかな撥水コーティングが施されたレンズ１２であっても、十分な保持力で固定して研削を行うことができ、正確な形状のレンズ１２を得ることができる。なお、レンズ１２の表面に、複数枚の保持シート６０を重ねて貼着してもよい。この場合、必要に応じて、各保持シート６０の粘着力に差を設けてもよい。
【００３３】
前記実施の形態においては、レンズ１２の表面に保持シート６０を貼着し、保持シート６０の表面にロックシート４２を貼着し、ロックシート４２を保持用治具４４に貼着するとしたが、その順序はこれに限定されるものではない。
また、予め、図４に示すように、保持シート６０とロックシート４２とを貼着したものを準備しておき、保持シート６０とロックシート４２との重ね合わせ体をレンズ１２に貼着するかもしくは保持用治具４４に貼着してもよい。
【００３４】
次に、別の保持シートの貼着方法及びそれに用いられる保持シートについて説明する。
印点４０が押印されたレンズ１２の両面には、前記の実施の形態の保持シート６０とは異なる別の保持シート１６０が貼着される。
保持シート１６０は、たとえば厚さ０．１ｍｍ程度の薄いメッシュの布地又はメッシュの樹脂脂フィルムからなる支持シート１６２の一方面、すなわちレンズ１２に貼着される面に粘着剤層１６４が形成されている。そして、保持シート１６０の支持シート１６２としては、粘着剤層１６４とは反対側、すなわちレンズ１２に貼着されない側の支持シート１６２の表面が、レンズ１２の表面に比べて、粘着剤に対する濡れ性の高いものが用いられる。
なお、支持シート１６２の他方面に粘着剤層１６５が形成されたものを用い、レンズ１２の表面に比べて、粘着剤に対する濡れ性の高いものが用いられてもよい。
【００３５】
保持シート１６０は、レンズ１２より小さく且つ３つの印点４０、すなわち第１の印点４０ａ、第２の印点４０ｂ及び中央の印点４０ｃよりも広がり包み込むような大きさであり、粘着剤層１６４の面によりレンズ１２に貼着される。
保持シート１６０は、第１の印点４０ａ、第２の印点４０ｂ及び中央の印点４０ｃの領域においては、第１の印点４０ａ、第２の印点４０ｂ及び中央の印点４０ｃを確認するための第１の間隙部１６６ａ、第２の間隙部１６６ｂ及び中央の間隙部１６６ｃが形成されている。
すなわち、第１の印点４０ａと対応する第１の間隙部１６６ａ、第２の印点４０ｂと対応する第２の間隙部１６６ｂ及び中央の印点４０ｃに対応する中央の間隙部１６６ｃが形成されている。
このとき、保持シート１６０は、第１の間隙部１６６ａ、第２の間隙部１６６ｂ及び中央の間隙部１６６ｃが形成されているため、第１の間隙部１６６ａ、第２の間隙部１６６ｂ及び中央の間隙部１６６ｃを通して、第１の印点４０ａ、第２の印点４０ｂ及び中央の印点４０ｃを確認することができる。
【００３６】
この保持シート１６０上に、支持体４２Ｘの一面に粘着剤層４２ｂ及び他面に粘着剤層４２ｄを形成された両面粘着テープからなるロックシート４２が貼着され、ロックシート４２よりも大きい保持シート１６０がロックシート４２の外周縁より外方に延びて包み込む。このとき、中央の印点４０ｃが、ロックシート４２の中央の間隙部４２ａ部分に配置されるようにして、ロックシート４２が保持シート１６０上に貼着される。
【００３７】
なお、ロックシート４２は、両面に粘着剤層４２ｂ及び粘着剤層４２ｄが形成された、両面粘着テープを用いたが、支持シート１６２の一方面、すなわちレンズ１２に貼着される面に粘着剤層１６４が形成され、且つ他方面、すなわちロックシート４２に貼着される面に粘着剤層１６５が形成されたものを用いた場合には、ロックシート４２としては保持用治具４４側の面にのみ粘着剤層４２ｂが形成されたものを用いてもよい。
【００３８】
さらに、レンズ１２の凸面側には、ロックシート４２上に、保持用治具４４の貼着部４６が貼着される。このとき、保持用治具４４の貫通孔５２が、中央の印点４０ｃに合わせられる。さらに、直線状に配置された２つの溝５４ａ，５４ｂが、３つの印点、すなわち第１の印点４０ａ、第２の印点４０ｂ及び中央の印点４０ｃが結ぶ直線に対応するように配置される。したがって、他の溝５４ｃは、３つの印点、すなわち第１の印点４０ａ、第２の印点４０ｂ及び中央の印点４０ｃが結ぶ直線に対して直交する向きに配置される。
つまり、溝５４ｃは、眼鏡１０の使用時において、上方となる向きに配置される。
【００３９】
レンズ１２に取り付けられた保持用治具４４は、レンズ研削機２０の治具受け２８に取り付けられる。このとき、保持用治具４４には、３つの溝５４ａ，５４ｂ，５４ｃが形成されているため、治具受け２８に溝５４ａ，５４ｂ，５４ｃに対応する凸部を形成しておくことにより、レンズ１２の向きを正確に決定することができる。この状態で、クランプ軸２６ｂを押し出すことにより、レンズ押さえ３０でレンズ１２の凹面側が押えられる。レンズ１２の凹面側にも、保持シート１６０およびロックシート４２が貼着されているため、レンズ押さえ３０はロックシート４２に貼着される。したがって、レンズ１２は、その両面において、保持シート１６０およびロックシート４２の貼着力により、治具受け２８およびレンズ押さえ３０で固定される。なお、レンズ押さえ３０でレンズ１２の凹面側が支持できるのであれば、レンズ１２の凹面側においては、保持シート１６０のみを貼着し、ロックシート４２は貼着されなくてもよい。
【００４０】
固定されたレンズ１２に、給水ノズル３２から水が供給され、回転する砥石３６が当接されて、レンズ１２が研削される。このとき、クランプ軸２６ａ，２６ｂの繰り出し量や回転量が調整され、さらに砥石３６の繰り出し量が調整されることにより、所定の形状のレンズ１２となるように研削される。
【００４１】
このように、保持シート１６０を用いることにより、ロックシート４２より大きい面積でレンズ１２を保持することができる。このとき、保持シート１６０に用いられる支持シート１６２は第１の間隙部１６６ａ、第２の間隙部１６６ｂ及び中央の間隙部１６６ｃが形成されているため、レンズ１２に押印された第１の印点４０ａ、第２の印点４０ｂ及び中央の印点４０ｃの確認が容易である。さらに、薄い支持シート１６２を用いることにより、レンズ１２の曲率が大きくても、それに対応して支持シート１６２が屈曲し、大きい面積で保持シート１６０をレンズ１２に貼着することができる。また、大きい保持シート１６０が貼着されることにより、レンズ１２の表面に傷がつくことを防ぐことができる。
【００４２】
また、保持シート１６０の支持シート１６２の表面は、レンズ１２の表面に比べて粘着剤に対する濡れ性が高いため、小さいロックシート４２によって保持用治具４４が取付けられても、十分大きい保持力を得ることができ、レンズ１２の研削中にレンズ１２がずれたりすることを抑えることができる。したがって、表面が滑らかな撥水コーティングが施されたレンズ１２であっても、十分な保持力で固定して研削を行うことができ、正確な形状のレンズ１２を得ることができる。なお、レンズ１２の表面に、複数枚の保持シート１６０を重ねて貼着してもよい。この場合、必要に応じて、各保持シート１６０の粘着力に差を設けてもよい。
【図面の簡単な説明】
【００４３】
【図１】この発明のレンズの加工方法を採用するために用いられるレンズの保持構造を示す分解斜視図である。
【図２】図１に示すレンズの保持構造を示す平面図である。
【図３】保持シート及び両面粘着テープをレンズに貼着する方法を示す断面図解図である。
【図４】保持シートと両面粘着テープとの重ね合わせ体を示す図で、（Ａ）はその斜視図解図であり、（Ｂ）はその断面図解図である。
【図５】別の保持シート及び両面粘着テープをレンズに貼着する方法を示す断面図解図である。
【図６】別の保持シートと両面粘着テープとの重ね合わせ体を示す図で、（Ａ）はその斜視図解図であり、（Ｂ）はその断面図解図である。
【図７】この発明の別のレンズの加工方法を採用するために用いられるレンズの保持構造を示す分解斜視図である。
【図８】図７に示すレンズの保持構造を示す平面図である。
【図９】別の保持シート及び両面粘着テープをレンズに貼着する方法を示す断面図解図である。
【図１０】別の保持シートと両面粘着テープとの重ね合わせ体を示す図で、（Ａ）はその斜視図解図であり、（Ｂ）はその断面図解図である。
【図１１】加工したレンズを用いた眼鏡の一例を示す斜視図である。
【図１２】レンズの加工を行うために用いられるレンズ研削機の研削室内の一例を示す図解図である。
【図１３】（Ａ）は、印点を施した加工前のレンズを示す平面図であり、（Ｂ）はその断面図である。
【図１４】従来のレンズの保持構造を示す分解斜視図である。
【図１５】図１４に示す従来のレンズの保持構造を示す平面図である。
【符号の説明】
【００４４】
１０  眼鏡
１２  レンズ
２０  レンズ研削機
２２  研削室
２８  治具受け
３０  レンズ押さえ
３２  給水ノズル
３６  砥石
４０  印点
４０ａ  第１の印点
４０ｂ  第２の印点
４０ｃ  中央の印点
４２  ロックシート
４２ａ  中央の間隙部
４２ｂ，４２ｄ，６４，６５，１６４，１６５  粘着剤層
４２ｃ  面
４２Ｘ  支持体
４４  保持用治具
６０，１６０  保持シート
６０ａ  第１保持シート
６０ｂ  第２保持シート
６０ｃ  第３保持シート
６０ｄ  第４保持シート
６２，１６２  支持シート
６６ａ，１６６ａ  第１の間隙部
６６ｂ，１６６ｂ  第２の間隙部
６６ｃ，１６６ｃ  中央の間隙部
【図１】
2007136581.tif 000003
【図２】
2007136581.tif 000004
【図３】
2007136581.tif 000005
【図４】
2007136581.tif 000006
【図５】
2007136581.tif 000007
【図６】
2007136581.tif 000008
【図７】
2007136581.tif 000009
【図８】
2007136581.tif 000010
【図９】
2007136581.tif 000011
【図１０】
2007136581.tif 000012
【図１１】
2007136581.tif 000013
【図１２】
2007136581.tif 000014
【図１３】
2007136581.tif 000015
【図１４】
2007136581.tif 000016
【図１５】
2007136581.tif 000017